【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
第１の入力チャンネル及び第２の入力チャンネルを有する２チャンネル入力オーディオ信号をアップミキシングして、３以上のチャンネルを有するアップミキシングされたマルチチャンネル出力オーディオ信号にするために、１又は２以上の処理デバイスによって実行される方法であって、
前記第１の入力チャンネルと前記第２の入力チャンネルとの間のチャンネル間レベル差から、推定パンニング角度を計算する段階と、
前記推定パンニング角度を用いて、同相係数及び異相係数を計算する段階と、
前記第１の入力チャンネルと前記第２の入力チャンネルとの間のチャンネル間位相差に前記同相係数を乗算することに基づいて同相信号成分を計算し、前記チャンネル間位相差に前記異相係数を乗算することに基づいて異相信号成分を計算する段階と、
前記同相信号成分及び前記異相信号成分を用いて、第１のデマトリクス係数及び第２のデマトリクス係数を計算する段階と、
前記第１の入力チャンネルに前記第１のデマトリクス係数を乗算して第１のサブ信号を生成し、前記第２の入力チャンネルに前記第２のデマトリクス係数を乗算して第２のサブ信号を生成する段階と、
前記第１のサブ信号及び前記第２のサブ信号を線形方式でミキシングして、前記アップミキシングされたマルチチャンネル出力オーディオ信号の出力チャンネルを生成する段階と、
前記生成された出力チャンネルを、スピーカーによる再生のために出力する段階と、
を含むことを特徴とする方法。
【請求項２】
前記２チャンネル入力オーディオ信号の前記チャンネル間レベル差を、左チャンネルと、前記左チャンネル及び右チャンネルの和との比率として計算する段階を更に含む、請求項１に記載の方法。
【請求項３】
前記チャンネル間レベル差を計算する段階は、方程式
2016529801.tif 000001
を使用する段階を更に含み、Ｌは前記左チャンネルであり、Ｒは前記右チャンネルである、請求項２に記載の方法。
【請求項４】
前記推定パンニング角度
2016529801.tif 000002
を計算する段階は、方程式
2016529801.tif 000003
を使用する段階を更に含み、ＩＣＬＤは、前記チャンネル間レベル差である、請求項１に記載の方法。
【請求項５】
前記推定パンニング角度は、前記２チャンネル入力オーディオ信号に関連する元のパンニング角度の推定値である、請求項４に記載の方法。
【請求項６】
前記第１及び第２のデマトリクス係数を計算する段階は、前記第１の入力チャンネルと前記第２の入力チャンネルとの間の前記チャンネル間位相差（ＩＣＬＤ）を、方程式
2016529801.tif 000004
に基づいて決定する段階を更に含み、＊は複素共役を示し、Ｌは前記第１の入力チャンネルであり、Ｒは前記第２の入力チャンネルであり、前記チャンネル間位相差とは、所与の時間において、前記第１の入力チャンネルが前記第２の入力チャンネルと同相であるか又は異相であるかを示す、請求項１に記載の方法。
【請求項７】
前記第１及び第２のデマトリクス係数を計算する段階は、
以下の方程式を用いて前記第１のデマトリクス係数を計算する段階と、
2016529801.tif 000005
以下の方程式を用いて前記第２のデマトリクス係数を計算する段階と、
2016529801.tif 000006
を更に含み、
αは同相係数であり、βは異相係数であり、両者は、推定パンニング角度
2016529801.tif 000007
に基づいており、ＩＣＰＤ’は、以下によって与えられる修正チャンネル間位相差であり、
2016529801.tif 000008
前記チャンネル間位相差（ＩＣＰＤ）は、以下によって与えられ、
2016529801.tif 000009
＊は複素共役を示し、Ｌは左チャンネルであり、Ｒは右チャンネルである、請求項１に記載の方法。
【請求項８】
左入力チャンネル及び右入力チャンネルを有する２チャンネル入力オーディオ信号から、Ｎ個の出力チャンネルを有するアップミキシングされたマルチチャンネル出力オーディオ信号を生成するための方法であって、Ｎは、２よりも大きい正の整数であり、
前記左入力チャンネル及び前記右入力チャンネルに基づいて、チャンネル間レベル差（ＩＣＬＤ）を計算する段階と、
前記チャンネル間レベル差から、推定パンニング角度を計算する段階と、
前記推定パンニング角度に基づいて、同相係数（α）及び異相係数（β）を計算する段階と、
前記左入力チャンネルが前記右入力チャンネルと同相であるか又は異相であるか、及びその逆を示す、前記左入力チャンネルと右入力チャンネルとの間の相対的な位相差を決定するために、前記左入力チャンネル及び前記右入力チャンネルに基づいて、チャンネル間位相差（ＩＣＰＤ）を計算する段階と、
同相信号成分及び異相信号成分の組合せの第１の三角関数に基づいて、ａで表される第１のデマトリクス係数を計算する段階と、
同相信号成分及び異相信号成分の組合せの第２の三角関数に基づいて、ｂで表される第２のデマトリクス係数を計算する段階と、
前記第１のデマトリクス係数を前記左又は右入力チャンネルに乗じて、及び前記第２のデマトリクス係数を前記右又は左入力チャンネルに乗じて、線形方式でミキシングすることによって、前記Ｎ個の出力チャンネルの各々を生成する段階と、
前記アップミキシングされたマルチチャンネル出力オーディオ信号の前記Ｎ個の出力チャンネルの各々を、マルチチャンネル再生環境でスピーカーから再生させる段階と、
を含み、
前記同相信号成分は、前記同相係数が乗算された前記チャンネル間位相差に基づき、前記異相信号成分は、前記異相係数が乗算された前記チャンネル間位相差に基づくことを特徴とする方法。
【請求項９】
前記第１の三角関数は、正弦関数であり、前記第２の三角関数は、余弦関数である、請求項８に記載の方法。
【請求項１０】
前記同相信号成分及び前記異相信号成分の前記組合せは、線形結合である、請求項８に記載の方法。
【請求項１１】
前記チャンネル間レベル差を計算する段階は、方程式
2016529801.tif 000010
を更に含み、Ｌは前記左入力チャンネルであり、Ｒは前記右入力チャンネルである、請求項８に記載の方法。
【請求項１２】
前記チャンネル間位相差を計算する段階は、方程式
2016529801.tif 000011
を更に含み、＊は複素共役を示す、請求項８に記載の方法。
【請求項１３】
以下のように与えられる、ＩＣＰＤ’で表される修正チャンネル間位相差を計算する段階を更に含む、
2016529801.tif 000012
請求項１２に記載の方法。
【請求項１４】
前記第１のデマトリクス係数を計算する段階は、方程式
2016529801.tif 000013
を更に含む、請求項１３に記載の方法。
【請求項１５】
前記第２のデマトリクス係数を計算する段階は、方程式
2016529801.tif 000014
を更に含む、請求項１４に記載の方法。
【請求項１６】
2016529801.tif 000015
で表される前記推定パンニング角度を計算する段階は、方程式
2016529801.tif 000016
を更に含む、請求項１５に記載の方法。
【請求項１７】
前記センターチャンネルの同相係数を以下のように計算することにより、
2016529801.tif 000017
前記センターチャンネルの異相係数を以下のように計算することにより、
2016529801.tif 000018
前記Ｎ個の出力チャンネルのセンターチャンネルを生成する段階を更に含む、請求項１６に記載の方法。
【請求項１８】
前記左サラウンドチャンネルの同相係数を以下のように計算することにより、
2016529801.tif 000019
前記左サラウンドチャンネルの異相係数を以下のように計算することにより、
2016529801.tif 000020
前記Ｎ個の出力チャンネルの左サラウンドチャンネルを生成する段階を更に含み、
θRsは、右サラウンドエンコーディング角度であり、θLsは、左サラウンドエンコーディング角度である、請求項１６に記載の方法。
【請求項１９】
前記右サラウンドチャンネルの同相係数を以下のように計算することにより、
2016529801.tif 000021
前記右サラウンドチャンネルの異相係数を以下のように計算することにより、
2016529801.tif 000022
前記Ｎ個の出力チャンネルの右サラウンドチャンネルを生成する段階を更に含み、
θRsは、右サラウンドエンコーディング角度であり、θLsは、左サラウンドエンコーディング角度である、請求項１６に記載の方法。
【請求項２０】
前記修正左チャンネルの同相係数を以下のように計算することにより、
2016529801.tif 000023
前記修正左チャンネルの異相係数を以下のように計算することにより、
2016529801.tif 000024
前記Ｎ個の出力チャンネルの修正左チャンネルを生成する段階を更に含み、
θRsは、右サラウンドエンコーディング角度であり、θLsは、左サラウンドエンコーディング角度である、請求項１６に記載の方法。
【請求項２１】
前記修正右チャンネルの同相係数を以下のように計算することにより、
2016529801.tif 000025
前記修正右チャンネルの異相係数を以下のように計算することにより、
2016529801.tif 000026
前記Ｎ個の出力チャンネルの修正右チャンネルを生成する段階を更に含み、
θRsは、右サラウンドエンコーディング角度であり、θLsは、左サラウンドエンコーディング角度である、請求項１６に記載の方法。